(57)【要約】【課題】過剰な外圧が加わった場合でも、シート止用条材の変形を防止して、ガタの発生を回避し得、２列の係止部を備えるシート止用条材に適用する場合でも、シート止用条材の固定作業を簡単に行なうことができる廉価な固定具を提供する。【解決手段】本体１の一端側から本体１をシート止用条材内へ挿入させ、本体１の他端側部分をシート止用条材に嵌着させることによって、本体１をシート止用条材内に固着させる。本体１の他端側には板状の連結部２が、前記天井部１０から天井部１０の長手方向へ延設し、側壁部１１，１１の縁の高さ位置から突出させて天井部１０と平行をなすフランジ部２０にしてあり、フランジ部２０の先端は円弧状にしてある。このフランジ部２０には複数の貫通孔２１，２１，２１が開設してある。【選択図】図１
2006174803.tif 000002
【特許請求の範囲】
【請求項１】
溝状の係止部内にシートの一部を挿入させて当該シートを止めるシート止用条材の端部に嵌合させる本体と、この本体から延設してあり、縦材に連結させるための連結部とを備え、前記シート止用条材の端部を縦材に固定する固定具において、
前記本体は、帯状の両側壁部を対向配置し、両側壁部間を中間部で連結してなり、両側壁部の間の外寸は、側壁部の一端側より他端側の方が大きくしてあり、両側壁部の他端側はそれぞれ、両側壁部が前記係止部の両内側面に対向するように係止部内へ挿入された場合、係止部の両内側面に当接するようにしてあり、
前記連結部は、前記中間部の側壁部他端側から延設してある
ことを特徴とする固定具。
【請求項２】
並設された２列の溝状の係止部内に各シートの一部をそれぞれ挿入させて各シートを別々に止め得るようになしたシート止用条材の端部に嵌合させる本体と、この本体から延設してあり、縦材に連結させるための連結部とを備え、前記シート止用条材の端部を縦材に固定する固定具において、
前記本体は、少なくとも２つの帯状の側壁部を対向配置し、両側壁部間を中間部で連結してなり、両側壁部の間の外寸は、側壁部の一端側より他端側の方が大きくしてあり、両側壁部の他端側はそれぞれ、両側壁部が前記両係止部の外側の内側面に対向するように両係止部内へ挿入された場合、両係止部の外側の内側面に当接するようにしてあり、
前記連結部は、前記中間部の側壁部他端側から延設してある
ことを特徴とする固定具。
【請求項３】
溝状の係止部内にシートの一部を挿入させて当該シートを止めるシート止用条材の端部を内嵌させる複数の嵌合部が、両端部から中央へ向けてそれぞれ設けてあり、シート止用条材に流入した露を受ける露受器を介して、前記シート止用条材の端部を縦材に固定する固定具であって、
前記露受器の嵌合部に内嵌させる本体と、この本体から延設してあり、前記縦材に連結させるための連結部とを備え、
前記本体に、露受器に固定するための螺子を挿通させる螺子用孔が貫通してあることを特徴とする固定具。
【請求項４】
前記連結部は、本体をシート止用条材の係止部に内嵌させた場合、シート止用条材の底部から適宜距離だけ離隔する位置まで延設してある請求項１又は２記載の固定具。
【請求項５】
前記連結部は、本体を露受器の嵌合部に内嵌させた場合、露受器の底部から適宜距離だけ離隔する位置まで延設してある請求項３記載の固定具。
【請求項６】
前記連結部の先端はフランジ部にしてあり、このフランジ部の先端は円弧状にしてあり、フランジ部には、連結用の螺子を挿通させる複数の螺子用孔が貫通してある請求項４又は５記載の固定具。
【発明の詳細な説明】
【技術分野】
【０００１】
本発明は、複数の骨材間に合成樹脂製のシートを展張してなる、所謂ビニルハウスにおいて、前記シートを止めるシート止用条材の端部を骨材に、直接的又は間接的に固定する固定具に関する。
【背景技術】
【０００２】
複数の骨材間に合成樹脂製のシートを展張してなる、所謂ビニルハウスにあっては、骨材たる複数の縦材の間に、複数のシート止用条材を一列に配置して、ビニルハウスの両妻面を構成する端部縦材以外の中間縦材に、対向するシート止用条材を中間用固定具を用いて固定する一方、シート止用条材の両端は通常、対向する端部縦材に固定せずに、ビニルテープを巻回する等の端部処理を施した後、各シート止用条材にシートの一部を係止するようにしていた（例えば、特許文献１参照）。
【０００３】
一方、前述した端部縦材にシート止用条材を固定する端部用固定具が開発されている。
【０００４】
図１４及び図１５は、従来の端部用固定具の使用状態を示す斜視図であり、図１４は、シートの一部を係止させる溝状の係止部を一列具備するシート止用条材に適用した場合を、図１５は、２列の係止部を具備するシート止用条材に適用した場合をそれぞれ示している。
【０００５】
図１４に示した如く、端部縦材たるパイプＰが立設してあり、横方向へ配したシート止用条材９０の端部が前記パイプＰの近傍まで延設してある。シート止用条材９０は、端面視が縦断三角フラスコ底部形状をしており、両側部間を係止部９１にしてある。このようなシート止用条材９０の端部に固定具１００がシート止用条材９０の底部側から外嵌してあり、パイプＰに外嵌させたユニバーサルジョイントＵに固定具１００の先端を螺子止することによって、シート止用条材９０の端部をパイプＰに固定してある。
【０００６】
この固定具１００は、端面視が、シート止用条材９０の外寸より僅かに大きい内寸の縦断三角フラスコ底部形状をしており、固定具１００のシート止用条材９０を差し込む一端部は、シート止用条材９０を案内すべく、その底部を長くしてある。固定具１００の両側部の上縁は、内側へ向かって曲成して曲成部がそれぞれ設けてあり、これによって固定具１００の両側部間にシート止用条材９０の両側部を挟持すると共に、固定具１００の両曲成部と底部との間にシート止用条材９０の両側部を挟持するようになっている。
【０００７】
なお、固定具１００の両側部の一端側は、前記底部の延長させた部分の高さ寸法を他の部分の高さ寸法より低くして側面視が階段状にしてあり、この高さ寸法の低い部分の上縁には前述した曲成部は形成していない。一方、固定具１００の両側部の他端側は、その高さ寸法を漸次低くしたアーチ状にしてあり、固定具１００内にシート止用条材９０を嵌入させたときのストッパとして機能させている。
【０００８】
また、固定具１００の他端部の底部も適宜長だけ延出させて前記ユニバーサルジョイントＵに連結させる連結部１０２してあり、この連結部１０２先端は円弧状にしてある。また、連結部１０２先端近傍には連結部１０２を貫通する四角形状の孔が開設してあり、該孔内に根角ボルトを挿通させて、ボルトの共廻りを防止し得るようにしてある。
【０００９】
一方、図１５に示した如く、２列の係止部３１，３２を具備するシート止用条材３０は、端面視が縦断三角フラスコ底部形状の両係止部３１，３２を両者の幅方向へ適宜距離を隔てて並設し、両者の間を平坦な中間部で連結して構成してある。このシート止用条材３０の端部に、第１部材２１０及び第２部材２２０を備える固定具２００が外嵌してある。
【００１０】
第１部材２１０は、略長方形の板材の両側縁をシート止用条材３０の両側部に倣って起立させ、シート止用条材３０の外幅寸法より僅かに大きい内幅寸法の底部を設けてなり、第１部材２１０の両側部の両端部近傍の高さ寸法はそれぞれ、中間部分の高さ寸法より低くしてある。第１部材２１０の底部中央には、平面視が長六角形状の凸部２１１が設けてあり、シート止用条材３０の端部を第１部材２１０の一端側から内方へ嵌入させると共に、前記凸部２１１をシート止用条材３０の裏面側であって、両係止部３１，３２の間隙内に嵌合させるようになっている。
【００１１】
第１部材２１０の他端にはそこを貫通する２つの孔が第１部材２１０の幅方向へ距離を隔てて開設してあり、両孔を挿通させた２つの螺子４０，４０を用いてパイプＰに外嵌させたユニバーサルジョイントＵ，Ｕに連結させることによって、シート止用条材３０の端部をパイプＰに固定するようにしてある。ところで、この第１部材２１０の他端には第２部材２２０の一端が固定してある。
【００１２】
第２部材２２０は、第１部材２１０の幅寸法と同じ幅寸法であり第１部材２１０の長さ寸法の略１／３の長さ寸法を有する板材を側面視がクランク形状に屈曲させてなり、その下段部に、第２部材２２０を貫通する２つの孔が前述した第１部材２１０の両孔と対向するように開設してある。そして、第２部材２２０を第１部材２１０の他端に、第２部材２２０の両孔を第１部材２１０の両孔に対向させ、第２部材２２０の他端たる上段部を第１部材２１０の両側部の中間部分端部上に当接させるように配設し、前述した両螺子を第２部材２２０の両孔にも挿通させることによって、シート止用条材３０の端部を第１部材２１０と第２部材２２０との間に挟持するようにしてある。
【００１３】
【特許文献１】特開２００２−２７８４３号公報（図２）
【発明の開示】
【発明が解決しようとする課題】
【００１４】
しかしながら、このような従来の固定具１００，２００にあってはいずれも、固定具１００，２００をシート止用条材９０，３０に外嵌させるため、強風等によってシート止用条材９０，３０に過剰な外圧が加わった場合、固定具１００，２００内に嵌入させたシート止用条材９０，３０の側部が変形して、シート止用条材９０，３０の端部と固定具１００，２００との間にガタが発生するという問題があった。また、２列の係止部３１，３２を具備するシート止用条材３０に適用する固定具２００は、第１部材２１０及び第２部材２２０という複数の部品によって構成されているため、かかる固定具２００によるシート止用条材３０の固定作業が煩雑であるのに加え、固定具２００の部品に要するコストが高いとうい問題もあった。
【００１５】
本発明は、斯かる事情に鑑みてなされたものであって、シート止用条材に過剰な外圧が加わった場合であっても、シート止用条材の変形を防止して、ガタの発生を回避し得る一方、２列の係止部を具備するシート止用条材に適用する場合であっても、シート止用条材の固定作業を簡単に行なうことができる廉価な固定具を提供する。
【課題を解決するための手段】
【００１６】
請求項１記載の本発明は、溝状の係止部内にシートの一部を挿入させて当該シートを止めるシート止用条材の端部に嵌合させる本体と、この本体から延設してあり、縦材に連結させるための連結部とを備え、前記シート止用条材の端部を縦材に固定する固定具において、前記本体は、帯状の両側壁部を対向配置し、両側壁部間を中間部で連結してなり、両側壁部の間の外寸は、側壁部の一端側より他端側の方が大きくしてあり、両側壁部の他端側はそれぞれ、両側壁部が前記係止部の両内側面に対向するように係止部内へ挿入された場合、係止部の両内側面に当接するようにしてあり、前記連結部は、前記中間部の側壁部他端側から延設してあることを特徴とする。
【００１７】
請求項２記載の本発明は、並設された２列の溝状の係止部内に各シートの一部をそれぞれ挿入させて各シートを別々に止め得るようになしたシート止用条材の端部に嵌合させる本体と、この本体から延設してあり、縦材に連結させるための連結部とを備え、前記シート止用条材の端部を縦材に固定する固定具において、前記本体は、少なくとも２つの帯状の側壁部を対向配置し、両側壁部間を中間部で連結してなり、両側壁部の間の外寸は、側壁部の一端側より他端側の方が大きくしてあり、両側壁部の他端側はそれぞれ、両側壁部が前記両係止部の外側の内側面に対向するように両係止部内へ挿入された場合、両係止部の外側の内側面に当接するようにしてあり、前記連結部は、前記中間部の側壁部他端側から延設してあることを特徴とする。
【００１８】
請求項３記載の本発明は、溝状の係止部内にシートの一部を挿入させて当該シートを止めるシート止用条材の端部を内嵌させる複数の嵌合部が、両端部から中央へ向けてそれぞれ設けてあり、シート止用条材に流入した露を受ける露受器を介して、前記シート止用条材の端部を縦材に固定する固定具であって、前記露受器の嵌合部に内嵌させる本体と、この本体から延設してあり、前記縦材に連結させるための連結部とを備え、前記本体に、露受器に固定するための螺子を挿通させる螺子用孔が貫通してあることを特徴とする。
【００１９】
請求項４記載の本発明は、前記連結部は、本体をシート止用条材の係止部に内嵌させた場合、シート止用条材の底部から適宜距離だけ離隔する位置まで延設してあることを特徴とする。
【００２０】
請求項５記載の本発明は、前記連結部は、本体を露受器の嵌合部に内嵌させた場合、露受器の底部から適宜距離だけ離隔する位置まで延設してあることを特徴とする。
【００２１】
請求項６記載の本発明は、前記連結部の先端はフランジ部にしてあり、このフランジ部の先端は円弧状にしてあり、フランジ部には、連結用の螺子を挿通させる複数の螺子用孔が貫通してあることを特徴とする。
【発明の効果】
【００２２】
請求項１記載の本発明では、溝状の係止部内にシートの一部を挿入させて当該シートを止めるシート止用条材の端部に嵌合させる本体と、この本体から延設してあり、縦材に連結させるための連結部とを備える固定具の前記本体は、帯状の両側壁部を対向配置し、両側壁部間を中間部で連結してなり、両側壁部の間の外寸は、側壁部の一端側より他端側の方が大きくしてあり、両側壁部の他端側はそれぞれ、両側壁部が前記係止部の両内側面に対向するように係止部内へ挿入された場合、係止部の両内側面に当接するようにしてあるため、本体の両側壁部をシート止用条材の係止部内に嵌着させるだけで、固定具をシート止用条材に固着させることができ、シート止用条材端部の固定作業を簡単・容易に行なうことができる。
【００２３】
また、シート止用条材の係止部の両内側面が、本体の両側壁部によって内側から支持されるため、シート止用条材に過剰な外圧が加わった場合であっても、シート止用条材側壁部が変形することが防止され、固定具とシート止用条材との間にガタが発生することが回避される。
【００２４】
請求項２記載の本発明では、並設された２列の溝状の係止部内に各シートの一部をそれぞれ挿入させて各シートを別々に止め得るようになしたシート止用条材の端部に嵌合させる本体と、この本体から延設してあり、縦材に連結させるための連結部とを備える固定具の前記本体は、少なくとも２つの帯状の側壁部を対向配置し、両側壁部間を中間部で連結してなり、両側壁部の間の外寸は、側壁部の一端側より他端側の方が大きくしてあり、両側壁部の他端側はそれぞれ、両側壁部が前記両係止部の外側の内側面に対向するように両係止部内へ挿入された場合、両係止部の外側の内側面に当接するようにしてあるため、２列の係止部を具備するシート止用条材に適用する場合であっても、本体の両側壁部をシート止用条材の両係止部内にそれぞれ嵌着させるだけで、固定具をシート止用条材に固着させることができ、シート止用条材端部の固定作業を簡単・容易に行なうことができる。
【００２５】
また、シート止用条材の両係止部の外側の内側面がそれぞれ、本体の両側壁部によって内側から支持されるため、シート止用条材に過剰な外圧が加わった場合であっても、シート止用条材側壁部が変形することが防止され、固定具とシート止用条材との間にガタが発生することが回避される。
【００２６】
更に、２列の係止部を具備するシート止用条材に適用する場合であっても、固定具は、１つの部材で構成されており、廉価である。
【００２７】
請求項３記載の本発明では、溝状の係止部内にシートの一部を挿入させて当該シートを止めるシート止用条材の端部を内嵌させる複数の嵌合部が、両端部から中央へ向けてそれぞれ設けてあり、シート止用条材に流入した露を受ける露受器を介して、前記シート止用条材の端部を縦材に固定する固定具は、露受器の嵌合部に内嵌させる本体と、この本体から延設してあり、前記縦材に連結させるための連結部とを備え、前記本体に、露受器に固定するための螺子を挿通させる螺子用孔が貫通してある。従って、露受器の嵌合部に固定具の本体を内嵌させ、この本体に貫通した螺子用孔に螺子を挿通させ、この螺子によって本体を露受器に固定する一方、露受器の他の嵌合部にシート止用条材の端部を内嵌させ、この状態で、固定具の連結部を縦材に連結させることによって、シート止用条材の端部を露受器を介して縦材に固定させることができる。
【００２８】
このように、シート止用条材の端部を露受器を介して縦材に固定させることができるため、シートからシート止用条材に流入した露は、シート止用条材の端部から落下することなく、露受器内へ流入し、この露を露受器から適宜の場所へ排出させることができる。従って、露によって、シート内で栽培する作物等に罹病等の被害が生じることが防止される。
【００２９】
また、露受器のシート止用条材の端部を内嵌させる嵌合部に、固定具の本体を内嵌させるため、露受器の外形に拘らず、固定具を露受器に固定することができる。
【００３０】
請求項４記載の本発明では、固定具の連結部は、本体をシート止用条材の係止部に内嵌させた場合、シート止用条材の底部から適宜距離だけ離隔する位置まで延設してあるため、固定具によって端部が固定されたシート止用条材と縦材とを略面一にすることができる。
【００３１】
請求項５記載の本発明では、固定具の連結部は、本体を露受器の嵌合部に内嵌させた場合、露受器の底部から適宜距離だけ離隔する位置まで延設してあるため、露受器を介して固定具によって端部が固定されたシート止用条材と縦材とを略面一にすることができる。
【００３２】
請求項６記載の本発明では、固定具の連結部の先端はフランジ部にしてあり、このフランジ部の先端は円弧状にしてあり、フランジ部には、連結用の螺子を挿通させる複数の螺子用孔が貫通してあるため、シート止用条材の端部を傾斜させた姿勢になす場合であっても、フランジ部が縦材との連結に支障を来たさず、何れかの螺子用孔を用いて縦材に連結させることができる。
【発明を実施するための最良の形態】
【００３３】
本発明に係る固定具は、溝状の係止部内にシートの一部を挿入させて当該シートを止めるシート止用条材の端部に嵌合させる本体と、この本体から延設してあり、縦材に連結させるための連結部とを備え、前記本体は、帯状の両側壁部を対向配置し、両側壁部間を中間部で連結してなり、両側壁部の間の外寸は、側壁部の一端側より他端側の方が大きくしてあり、両側壁部の他端側はそれぞれ、両側壁部が前記係止部の両内側面に対向するように係止部内へ挿入された場合、係止部の両内側面に当接するようにしてあり、前記連結部は、前記中間部の側壁部他端側から延設してある。
【００３４】
また、固定具は、並設された２列の溝状の係止部内に各シートの一部をそれぞれ挿入させて各シートを別々に止め得るようになしたシート止用条材の端部に嵌合させる本体と、この本体から延設してあり、縦材に連結させるための連結部とを備え、前記本体は、少なくとも２つの帯状の側壁部を対向配置し、両側壁部間を中間部で連結してなり、両側壁部の間の外寸は、側壁部の一端側より他端側の方が大きくしてあり、両側壁部の他端側はそれぞれ、両側壁部が前記両係止部の外側の内側面に対向するように両係止部内へ挿入された場合、両係止部の外側の内側面に当接するようにしてあり、前記連結部は、前記中間部の側壁部他端側から延設してある。
【００３５】
一方、溝状の係止部内にシートの一部を挿入させて当該シートを止めるシート止用条材の端部を内嵌させる複数の嵌合部が、両端部から中央へ向けてそれぞれ設けてあり、シート止用条材に流入した露を受ける露受器を介して、前記シート止用条材の端部を縦材に固定する固定具であって、前記露受器の嵌合部に内嵌させる本体と、この本体から延設してあり、前記縦材に連結させるための連結部とを備え、前記本体に、露受器に固定するための螺子を挿通させる螺子用孔が貫通してある。
【００３６】
前述した連結部は、本体をシート止用条材の係止部に内嵌させた場合、シート止用条材の底部から適宜距離だけ離隔する位置まで延設してある。
【００３７】
一方、連結部は、本体を露受器の嵌合部に内嵌させた場合、露受器の底部から適宜距離だけ離隔する位置まで延設してある。
【００３８】
また、前述した連結部の先端はフランジ部にしてあり、このフランジ部の先端は円弧状にしてあり、フランジ部には、連結用の螺子を挿通させる複数の螺子用孔が貫通してある。
【００３９】
以下、本発明の実施例を図面に基づいて詳述する。
【実施例１】
【００４０】
図１及び図２は、本発明に係る固定具を示す正面斜視図及び裏面斜視図であり、両図中、１は、固定具Ａ１の本体である。本体１は、金属製の矩形板材の両長辺側縁部をそれぞれ屈曲させて一端面が略倒立矩形Ｕ字形になしてあり、本体１の両側壁部１１，１１の高さ寸法は、後述するシート止用条材３０の係止部３１，３２（図５参照）の深さ寸法より少し大きくしてある。
【００４１】
本体１の両側壁部１１，１１は、本体１の一端側の部分では、本体１の天井部（中間部）１０から垂下させた様態にしてあり、本体１の中央部分では、上底を天井部１０とする断面台形の下底寸法を本体１の他端へ向かって漸次大きくなした様態にしてあり、本体１の他端側の部分では、前記断面台形の下底寸法が一定の様態にしてある。即ち、両側壁部１１，１１間の寸法は、本体１の一端側の部分では、本体１の天井部１０の幅寸法と同じにしてあり、本体１の中央部分では、本体１の他端へ向かって天井部１０の幅寸法より漸次大きくしてあり、本体１の他端側の部分では、本体１の中央部分の極大寸法と同じ寸法にしてある。
【００４２】
この本体１の他端側における両側壁部１１，１１の間の外寸は、後述するシート止用条材３０の内幅寸法と略同じにしてあり、従って、本体１の一端側における両側壁部１１，１１の間の外寸は、シート止用条材の内幅寸法より小さい。これによって、本体１の一端側から本体１をシート止用条材３０内へ挿入させ、本体１の他端側部分をシート止用条材３０に嵌着させることによって、本体１をシート止用条材３０内に固着させるようになっている。
【００４３】
また、本体１の他端側には、天井部１０の幅寸法と同じ幅寸法であり側面視が逆へ字形をなした板状の連結部２が、前記天井部１０から天井部１０の長手方向へ延設してある。この連結部２の先端側は、前述した側壁部１１，１１の縁の高さ位置から突出させて天井部１０と平行をなすフランジ部２０にしてあり、フランジ部２０の先端は円弧状にしてある。そして、フランジ部２０の基端側に２つの貫通孔（螺子用孔）２１，２１がフラン部２０の幅方向へ距離を隔てて開設してあり、両貫通孔２１，２１の間であって、フランジ部２０の先端側の位置に、他の貫通孔（螺子用孔）２１が開設してある。
【００４４】
なお、本実施例では、連結部２の形状を逆へ字形にしてあるが、本発明はこれに限らず、略Ｌ字形にしてもよい。また、本実施例では、連結部２は両側壁部１１，１１と分離させた様態にしてあるが、本発明はこれに限らず、連結部２と両側壁部１１，１１とを連続させて一体的に成形してもよい。
【００４５】
図３は、図１及び図２に示した固定具Ａ１の使用状態を説明する説明図であり、図中、３０は、シート止用条材である。また、図４は、図３の部分拡大図であり、図５は、図３に示したシート止用条材３０の部分拡大斜視図である。なお、図３及び図４中、図１及び図２に示した部分に対応する部分には同じ番号を付してその説明を省略する。
【００４６】
図３〜図５に示した如く、シート止用条材３０は、端面視が縦断三角フラスコ底部形状をなし、シートの一部を係止させる第１係止部３１及び第２係止部３２を、両者の幅方向へ適宜距離を隔てて並設してある。第１係止部３１及び第２係止部３２は、帯状の底壁部３１ｃ，３２ｃの両側縁にそれぞれ側壁部３１ａ，３１ｂ、３２ａ，３２ｂを底壁部３１ｃ，３１ｃに対して略４５°の角度になるように立設してあり、底壁部３１ｃ，３１ｃと両側壁部３１ａ，３１ｂ、３２ａ，３２ｂとがなす両角部はそれぞれ円弧状になしてある。この両側壁部３１ａ，３１ｂ、３２ａ，３２ｂの縁部間の開口の幅寸法は底壁部３１ｃ，３１ｃの幅寸法の２／３程度にしてある。
【００４７】
第１係止部３１及び第２係止部３２の外側の側壁部３１ａ，３２ａの高さ寸法、及び、第１係止部３１及び第２係止部３２の内側の側壁部３１ｂ，３２ｂは、同じにしてあり、この第１係止部３１及び第２係止部３２の内側の側壁部３１ｂ，３２ｂの縁部は、第１係止部３１及び第２係止部３２の底壁部３１ｃ，３２ｃと平行をなす平坦な帯板状の中間部３３で連結してある。
【００４８】
なお、本実施例では、中間部３３が平坦なシート止用条材３０を用いた場合について示してあるが、本発明はこれに限らず、例えば、図６に示した如く、中央部を凸になした中間部３３ａで第１係止部３１及び第２係止部３２の内側の側壁部３１ｂ，３２ｂの縁部を連結してなるシート止用条材３０ａにも適用できることはいうまでもない。
【００４９】
このシート止用条材３０は、蒲鉾形のビニルハウスＨの肩部に、例えば第１係止部３１を上にして横架されており、シート止用条材３０の第１係止部３１内に、ビニルハウスＨの天井部に展開したシートＳの下縁部を挿入した後、面内交互台形波形状のスプリングＳＰを嵌入させて、当該シートＳを第１係止部３１に係止してある。また、シート止用条材３０の第２係止部３２内に、ビニルハウスＨの側部に展開させるシートＳの上縁部を挿入した後、第２係止部３２内へ前述したスプリングＳＰを嵌入させることによって、当該シートＳを第２係止部３２に係止してある。
【００５０】
このシート止用条材３０のビニルハウスＨ妻面に対向する端部内に、前述した固定具Ａ１の本体１が嵌着してある。シート止用条材３０の端部に固定具Ａ１の本体１を嵌着させるには、前述した如く、シート止用条材３０内へ本体１を連結部２が延設されていない一端側から、シート止用条材３０の中間部３３を跨ぐように挿入させ、この本体１をその他端縁がシート止用条材３０の端縁に略一致するまで押し込む。
【００５１】
このとき、本体１の他端側における両側壁部１１，１１の間の外寸は、シート止用条材３０外側の側壁部３１ａ，３２ａの間の内寸と略同じであるので、本体１はシート止用条材３０内に固着される。一方、本体１の一端側における両側壁部１１，１１の間の外寸は、シート止用条材３０の外側の側壁部３１ａ，３２ａの間の内寸より小さいため、本体１の一端部をシート止用条材３０内へ容易に挿入させることができる。
【００５２】
一方、ビニルハウスＨの妻面の隅に立設したパイプＰには、平面視が略鍵穴形のユニバーサルジョイントＵが外嵌してあり、該ユニバーサルジョイントＵの両脚部に開設してある両孔と、固定具Ａ１のフランジ部２０に開設してある複数の貫通孔２１，２１，２１の内の適当な貫通孔２１とを一致させ、そこを貫通させたボルト４０ａにナット４０ｂを螺合させることによって、連結部２のフランジ部２０とユニバーサルジョイントＵとを連結させると共にユニバーサルジョイントＵパイプＰに固着させ、これによってシート止用条材３０の端部をパイプＰに固定させてある。
【００５３】
このとき、フランジ部２０は、本体１の側壁部１１，１１の縁の高さ位置から突出させてあるため、固定具Ａ１によって端部が固定されたシート止用条材３０とパイプＰとを略面一にすることができる。
【００５４】
このような固定具Ａ１にあっては、シート止用条材３０内に固定具Ａ１の本体１を嵌着させてあるため、本体１の両側壁部１１，１１によって、シート止用条材３０の第１係止部３１及び第２係止部３２の外側の側壁部３１ａ，３２ａが内側から支持されており、これによって、シート止用条材３０に過剰な外圧が加わった場合であっても、シート止用条材３０前記外側の側壁部３１ａ，３２ａが変形することが防止され、固定具Ａ１とシート止用条材３０の端部との間にガタが発生することが回避される。
【００５５】
また、このように２列の係止部３１，３２を具備するシート止用条材３０に適用する場合であっても、前述した如く、固定具Ａ１を用いてシート止用条材３０の固定作業を簡単に行なうことができる。一方、かかる固定具Ａ１  は、前述した如く１つの部材で構成されており、廉価である。
【００５６】
ところで、前述した如きシート止用条材３０を配設する場合、シート止用条材３０の端部から露が落下することを防止すべく、シート止用条材３０の端部を斜め上方へ傾斜させた姿勢になす場合がある。このような場合であっても、前述した如くフランジ部２０の先端が円弧状にしてあるため、フランジ部２０とユニバーサルジョイントＵとの連結に支障を来たさず、更に、フランジ部２０に複数の貫通孔２１，２１，２１が開設してあるため、何れかの貫通孔２１を用いてユニバーサルジョイントＵに螺子止することができる。
【００５７】
なお、本実施例では、天井部１０に両側壁部１１，１１を垂下して本体１を構成してあるが、本発明はこれに限らず、対向配置した両側壁部１１，１１の高さ方向の何れかの位置に、両側壁部１１，１１を連結する中間部を設けて本体１を構成すればよい。
【実施例２】
【００５８】
図７は、実施例２に係る固定具Ａ２を示す斜視図であり、図８は、実施例２に係る固定具Ａ２の使用様態を説明する説明図である。本実施例に係る固定具Ａ２は、１列の係止部を具備するシート止用条材９０に適用し得るようにしてある。なお、図中、図１及び図２に示した固定具Ａ１に対応する部分には対応する番号を付して、その説明を省略する。
【００５９】
シート止用条材９０は、端面視が縦断三角フラスコ底部形状をなし、両側壁部９２，９２の間をシートの一部を係止させる係止部９１になしてある。一方、固定具Ａ２は、その幅寸法をシート止用条材９０の係止部９１の幅寸法と同じ寸法に、即ち、本体１ｂの他端部における両側壁部１１ｂ（１１ｂ）の間の外寸をシート止用条材９０の両側壁部９２，９２の内寸と同じ寸法にした以外は、図１に示した固定具Ａ１と略同じ構成にしてある。なお、天井部１０ｂから延設したフランジ部２０ｂの幅寸法が比較的狭いため、図７に示した例では、１つの貫通孔（螺子用孔）２１ｂを貫通させてある。
【００６０】
このような固定具Ａ２にあっては、シート止用条材９０の端部を固定するに際して、前同様、シート止用条材９０の端部内へ本体１ｂを、連結部２ｂが延設されていない一端側から挿入させ、この本体１ｂをその他端縁がシート止用条材９０の端縁に略一致するまで押し込むことによって、本体１ｂをシート止用条材９０の端部に固着する。そして、連結部２ｂに開設した貫通孔２１ｂを用いて、パイプに外嵌させたユニバーサルジョイントに螺子止する。
【００６１】
このように、シート止用条材９０内に固定具Ａ２の本体１ｂを嵌着させてあるため、前同様、本体１ｂの両側壁部１１ｂ（１１ｂ）によって、シート止用条材９０の両側壁部９２，９２が内側から支持され、これによって、シート止用条材９０に過剰な外圧が加わった場合であっても、シート止用条材９０の側壁部９２，９２が変形することが防止され、固定具Ａ２とシート止用条材９０の端部との間にガタが発生することが回避される。
【実施例３】
【００６２】
図９及び図１０は、実施例３に係る固定具を示す正面斜視図及び裏面斜視図であり、シート止用条材の端部を縦材に間接的に固定するようにしてある。
【００６３】
図９及び図１０に示した如く、固定具Ａ３の本体１ａは、金属製の矩形板材の両長辺側縁部を端面視が倒立矩形Ｕ字状になるようにそれぞれ屈曲させて、天井部１０とこれに垂下させた側壁部１１ａ，１１ａが形成してある。この両側壁部１１ａ，１１ａの間の外寸は、後述する露受器５０のシート止用条材８０を嵌合させる両側壁部５２，５２（何れも図１３参照）の内幅寸法と同じにしてあり、両側壁部１１ａ，１１ａの高さ寸法は、前記露受器５０の側壁部５２，５２の高さ寸法より少し大きくしてある。
【００６４】
前記天井部１０には、天井部１０の長手方向へ長い２つの長孔（螺子用孔）１３，１３が天井部１０の幅方向へ距離を隔てて開設してあり、両長孔１３，１３内にそれぞれボルトを挿通させるようになっている。
【００６５】
一方、前記本体１ａの他端側には、天井部１０の幅寸法と同じ幅寸法であり側面視が逆へ字形をなした板状の連結部２が、前記天井部１０から天井部１０の長手方向へ延設してある。この連結部２の先端側は、前述した側壁部１１ａ，１１ａの縁高さ位置から突出させて天井部１０と平行をなすフランジ部２０にしてあり、フランジ部２０の先端は円弧状にしてある。そして、フランジ部２０の基端側に２つの貫通孔（螺子用孔）２１，２１がフラン部２０の幅方向へ距離を隔てて開設してあり、両貫通孔２１，２１の間であって、フランジ部２０の先端側の位置に、他の貫通孔（螺子用孔）２１が開設してある。
【００６６】
なお、本実施例では、連結部２０の形状を逆へ字形にしてあるが、本発明はこれに限らず、略Ｌ字形にしてもよい。
【００６７】
次に、かかる固定具Ａ３を用いてシート止用条材の端部を間接的に固定する方法について説明する。
【００６８】
図１１は、実施例３に係る固定具Ａ３の使用様態を説明する説明図であり、図中、５０は、露受器、８０は、シート止用条材である。また、図１２は、図１１の部分拡大図であり、図１３は、図１１に示した露受器５０及びシート止用条材８０の部分拡大斜視図である。なお、図１１及び図１２中、図９及び図１０に示した部分に対応する部分には同じ番号を付してある。露受器５０は、通常、直線状に配置された相隣る両シート止用条材８０（８０）の端部間に介装させるが、本実施例では、この露受器５０を介して、シート止用条材８０の端部を固定具Ａ３にて固定するようにしてある。
【００６９】
図１１〜図１３に示した如く、シート止用条材８０は、端面視が縦断三角フラスコ底部形状をなし、シートの一部を係止させる係止部８１と、端面視がＬ字形状をなし、シート内面を落下する露を受ける露受部８２とを、両者の幅方向へ適宜距離を隔てて並設し、両者間を中間部８３で連結してある。
【００７０】
また、合成樹脂製の露受器５０は、平面視が長方形の底壁部５１の長手方向の略中央位置に、露を排出するための凹部５５が、底壁部５１の幅方向の一側から他側近傍まで設けてあり、この凹部５５と底壁部５１の幅方向の他側との間に、ストッパ５４が突設してある。底壁部５１の両長辺側縁には、側壁部５２，５２がそれぞれ立設してあり、両側壁部５２，５２と底壁部５１との角部はそれぞれ円弧にしてある。底壁部５１の両側壁部５２，５２の間には、前述したシート止用条材８０の裏面であって、係止部８１と露受部８２との間の部分に嵌合させる中間壁部５３，５３が両側壁部５２，５２と平行に立設してあり、中間壁部５３，５３と一方の側壁部５２との間は、シート止用条材８０の露受部８２を嵌合させる第１嵌合部６１、６１に、中間壁部５３，５３と他方の側壁部５２との間は、シート止用条材８０の係止部８１を嵌合させる第２嵌合部６２，６２にしてある。
【００７１】
この底壁部５１の長手方向の両端部近傍であって、第１嵌合部６１及び第２嵌合部６２の略中央位置にはそれぞれ、底壁部５１を貫通する孔６３，６３（６３，６３）が開設してある。また、前記凹部５５には，露を排出する排出管部５６が連通連結してあり、該排出管部５６にはホース７０の一端が外嵌させてある。
【００７２】
かかる露受器５０の一端側からシート止用条材８０の端部を、シート止用条材８０の露受部８２が露受器５０の第１嵌合部６１に、シート止用条材８０の係止部８１が露受器５０の第２嵌合部６２にそれぞれ嵌合させるように挿入し、シート止用条材８０の端部を露受器５０のストッパ５４に当接させる。
【００７３】
そして、シート止用条材８０の端部であって、露受器５０の底壁部５１に開設した孔６３，６３に対向する位置に、シート止用条材８０を貫通する貫通孔を開設し、両貫通孔及び露受器５０の底壁部５１の対応する孔６３，６３を挿通させた螺子によって、シート止用条材８０の端部を露受器５０に固定させる。
【００７４】
一方、露受器５０の他端側には、前述した固定具Ａ３が嵌合固定してある。前述した如く固定具Ａ３の両側壁部１１ａ，１１ａの間の外寸は、露受器５０の両側壁部５２，５２の間の内寸と略同じにしてあり、固定具Ａ３は、本体１ａの両側壁部１１ａ，１１ａが露受器５０の両側壁部５２，５２に対向するように第１嵌合部６１及び第２嵌合部６２内に嵌入させ、本体１ａの長孔１３，１３及び露受器５０の底壁部５１に開設した孔６３，６３を貫通させた螺子４１，４１によって、固定具Ａ３の本体１ａを露受器５０に固定させる。
【００７５】
そして、固定具Ａ３の連結部２のフランジ部２０に開設してある貫通孔２１，２１，２１の内の何れかの貫通孔２１を用いて、パイプＰに外嵌させたユニバーサルジョイントＵに螺子止する。
【００７６】
このような固定具Ａ３にあっては、シート止用条材８０の端部を露受器５０を介してパイプＰに固定させることができるため、シート止用条材８０に係止させたシートＳからシート止用条材８０に流入した露は、シート止用条材８０の端部から落下することなく、露受器５０内へ流入し、この露を露受器５０から適宜の場所へ排出させることができる。従って、露によって、シートＳ内で栽培する作物等に罹病等の被害が生じることを防止することができる。
【００７７】
また、露受器５０の第１嵌合部６１及び第２嵌合部６２に、本体１ａの両側壁部１１ａ，１１ａを内嵌させて、固定具Ａ３を露受器５０に固定するため、露受器５０の外形に拘らず、固定具Ａ３を露受器に固定することができる。
【００７８】
なお、本実施例では、天井部１０に両側壁部１１ａ，１１ａを垂下してなる本体１０を備える固定具Ａ３について説明したが、本発明はこれに限らず、両側壁部１１ａ，１１ａの高さ方向の何れかの位置に、露受器５０の中間壁部５３を挿通させる開口又は切欠きを設けた中間部を配設し、該中間部に螺子を挿通させる螺子用孔を開設してもよい。更に、本実施例では、天井部１０に両側壁部１１ａ，１１ａを垂下させてあるが、本発明はこれに限らず、側壁部を設けることなく、露受器５０の中間壁部５３を挿通させる開口又は切欠きを設けた板状の本体を備える構成であってもよい。なお、本実施例のように、両側壁部１１ａ，１１ａを設けた場合、固定具Ａ３と露受器５０との間にガタが発生することより防止することができる。
【００７９】
ところで、前述した如きシート止用条材８０を配設する場合、シート止用条材８０の端部から露を露受器５０内へ落下させるべく、シート止用条材８０の端部を斜め下方へ傾斜させた姿勢になす場合がある。このような場合であっても、前述した如くフランジ部２０の先端が円弧状にしてあるため、フランジ部２０とユニバーサルジョイントＵとの連結に支障を来たさず、更に、フランジ部２０に複数の貫通孔２１，２１，２１が開設してあるため、何れかの貫通孔２１を用いてユニバーサルジョイントＵに螺子止することができる。
【図面の簡単な説明】
【００８０】
【図１】本発明に係る固定具を示す正面斜視図である。
【図２】本発明に係る固定具を示す裏面斜視図である。
【図３】図１及び図２に示した固定具の使用状態を説明する説明図である。
【図４】図３の部分拡大図である。
【図５】図３に示したシート止用条材の部分拡大斜視図である。
【図６】他のシート止用条材を示す部分斜視図である。
【図７】実施例２に係る固定具を示す斜視図である。
【図８】実施例２に係る固定具の使用状態を説明する説明図である。
【図９】実施例３に係る固定具を示す正面斜視図である。
【図１０】実施例３に係る固定具を示す裏面斜視図である。
【図１１】実施例３に係る固定具の使用状態を説明する説明図である。
【図１２】図１１の部分拡大図である。
【図１３】図１１に示した露受器及びシート止用条材の部分拡大斜視図である。
【図１４】従来の端部用固定具の使用状態を示す斜視図である。
【図１５】従来の端部用固定具の使用状態を示す斜視図である。
【符号の説明】
【００８１】
Ａ１    固定具
Ａ２    固定具
Ａ３    固定具
１      本体
１ａ    本体
１ｂ    本体
２      連結部
２ｂ    連結部
１０      天井部
１０ｂ    天井部
１１      側壁部
１１ａ    側壁部
１１ｂ    側壁部
１３      長孔
２０      フランジ部
２０ｂ    フランジ部
２１      貫通孔
３０    シート止用条材
３０ａ  シート止用条材
４０ａ    ボルト
４０ｂ    ナット
４１      螺子
５０      露受器
８０      シート止用条材
８１      係止部
８２      露受部
Ｕ      ユニバーサルジョイント
ＳＰ      スプリング
Ｓ      シート
Ｐ      パイプ
Ｈ      ビニルハウス
【図１】
2006174803.tif 000003
【図２】
2006174803.tif 000004
【図３】
2006174803.tif 000005
【図４】
2006174803.tif 000006
【図５】
2006174803.tif 000007
【図６】
2006174803.tif 000008
【図７】
2006174803.tif 000009
【図８】
2006174803.tif 000010
【図９】
2006174803.tif 000011
【図１０】
2006174803.tif 000012
【図１１】
2006174803.tif 000013
【図１２】
2006174803.tif 000014
【図１３】
2006174803.tif 000015
【図１４】
2006174803.tif 000016
【図１５】
2006174803.tif 000017